(57)【特許請求の範囲】
【請求項１】
底板(２)と、
前記底板の上面上で滑動する振動板であって、長板形状に形成された振動板(３)と、
駆動部(６)と、
前記振動板の上面のうち長手方向の一端側に位置する部分の上方で、前記底板を土台として前記駆動部を支持する支持部(５)と、
前記振動板が前記底板の上面上で滑動して振動するように、前記駆動部の動力を、前記振動板の上面のうち前記駆動部の直下部分を介して前記振動板に伝達する動力伝達部(７)と、
前記支持部から前記振動板を振動可能に吊り下げる吊下部(８)と
を備えることを特徴とするマッサージ器(１)。
【請求項２】
請求項１に記載のマッサージ器において、
前記動力伝達部は、
クランク機構により前記駆動部から前記振動板に前記動力を伝えることを特徴とするマッサージ器。
【請求項３】
請求項１〜２のいずれか一項に記載のマッサージ器において、
前記底板は、
下部板(２０)と、
前記下部板の上面に積層され、前記下部板よりも滑りやすい面を有する上部板(２１)と
を有し、
前記上部板の上面上で前記振動板を滑動させることを特徴とするマッサージ器。
【請求項４】
請求項１〜３のいずれか一項に記載のマッサージ器において、
前記振動板の上面のうち、長手方向の一端側を除く部分であって人が体を載せる部分に積層されたクッション部(４)を有することを特徴とするマッサージ器。
【請求項５】
請求項４に記載のマッサージ器において、
前記クッション部は、
ヒータ(４０)を備えることを特徴とするマッサージ器。
【請求項６】
請求項１〜５のいずれか一項に記載のマッサージ器において、
前記駆動部の動作を制御する制御部(９０)と、
前記制御部と有線又は無線で接続され、人の操作を受け付けると、前記操作に応じた制御信号を前記制御部に送信する操作部(９１)と、
を備え、
前記制御部は、前記制御信号に応じた動作を前記駆動部にさせるように制御することを特徴とするマッサージ器。
【請求項７】
請求項１〜６のいずれか一項に記載のマッサージ器において、
前記支持部は、
前記駆動部及び前記動力伝達部を覆うとともに、前記振動板のうち長手方向の一端側を覆うケース部であることを特徴とするマッサージ器。
【発明の詳細な説明】
【技術分野】
【０００１】
本発明は、マッサージ器に関する。
【背景技術】
【０００２】
従来のマッサージ器は、筐体と、この筐体の上面上で滑動する振動板と、筐体内に設置されたモータとを備え、モータに連動するクランク軸の回転運動により、振動板を筐体の上面上で振動させていた（例えば、特許文献１参照）。
【先行技術文献】
【特許文献】
【０００３】
【特許文献１】特開平３−７５０６１号公報
【発明の概要】
【発明が解決しようとする課題】
【０００４】
現在、マッサージ器には、その厚みを薄くするというニーズがある。このニーズは、主に高齢者からあり、用途としては布団の中で寝ながら使用することが考えられている。
また、マッサージ器は、軽量化というニーズがある。このニーズは、利用者が自分の体のある特定の部位にマッサージ器を当てようとするときの当て方から生じている。具体的には、このニーズは、利用者が自分の体のある特定の部位にマッサージ器を当てようとするとき、自分の体の位置を移動させるのではなくマッサージ器を移動させてその特定の部位にマッサージ器を当てようとすることが多いことから生じている。つまり、マッサージ器は、その重量が重いと移動させにくくなるため、利用者が自分の体の特定の部位にマッサージ器を上手く当てようとしても当てにくくなってしまうのである。
【０００５】
マッサージ器を薄くする構造としては、振動板とモータとを上下に配置した特許文献１に示したような従来の構造ではなく、底板の上に振動板とモータとを載せて、振動板とモータとを底板上で横並びに配置した構造とすることが考えられる。
【０００６】
しかし、このようにすると、モータの回転軸と振動板との距離が遠くなるので、モータから振動板に動力を伝達するクランク機構等で構成される動力伝達機構には大きなトルクが掛かることとなる。そのため動力伝達機構は、この大きなトルクに耐えうる丈夫なものとする必要があるので、丈夫な分だけ重量が重くなる。また、モータも、そのような大きなトルクを出力できる大型のモータが必要となるので、大型化した分だけ重量が重くなる。
【０００７】
このようにマッサージ器は、厚みを薄くすると重量が重くなってしまうので、厚みを薄くすることと重量を軽くすることという２つの要請を満たすことが難しかった。
そこで本発明は、軽量で厚みの薄いマッサージ器を提供することを目的とする。
【課題を解決するための手段】
【０００８】
本開示のマッサージ器は、底板(２)と、前記底板の上面上で滑動する振動板であって、長板形状に形成された振動板(３)と、駆動部(６)と、前記振動板の上面のうち長手方向の一端側に位置する部分の上方で、前記底板を土台として前記駆動部を支持する支持部(５)と、前記振動板が前記底板の上面上で滑動して振動するように、前記駆動部の動力を、前記振動板の上面のうち前記駆動部の直下部分を介して前記振動板に伝達する動力伝達部(７)と、前記支持部から前記振動板を振動可能に吊り下げる吊下部(８)とを備えることを特徴とする。
【０００９】
このマッサージ器は、底板の上に振動板が載り、その振動板の上面のうち長手方向の一端側に位置する部分の上方に、支持部に支持された駆動部が配置されるので、底板の上に振動板が単に載っている部分と、振動板のさらに上方に駆動部が配置される部分とを有することになる。このうち、底板の上に振動板が単に載っている部分が、マッサージを受けたいときに人が体を振動板に載せる部分であり、この部分は、底板と振動板とを重ねただけの厚みになるので、このマッサージ器は、人が体を振動板に載せる部分の厚みが、これらの間に駆動部が配置されるマッサージ器に比べると非常に薄くなる。
【００１０】
一方、このマッサージ器は、駆動部が配置される部分にも振動板が配置される構造となっているので、振動板とモータとを底板上に横並びに配置した場合よりも、大きい振動板を用いる必要がある。しかし、振動板とモータとを底板上に横並びに配置した場合には、本発明のマッサージ器のように、振動板とモータとを上下に配置されたものに比べ重いモータ等を使用しなければならず、その結果、重量が大きく増加する。つまり、振動板を大型化しても、重いモータ等を用いる場合に比べれば、マッサージ器全体の重量の増加ははるかに小さい。そのため、このマッサージ器は、振動板とモータとを横並びで設置する場合に比べて、はるかに軽量化することができる。
【００１１】
したがって、上述のように構成すれば、軽量で厚みの薄いマッサージ器を提供することができる。
また、上述したような吊下部を備えると、駆動部と振動板とが離れることなく、それらの距離が一定に保たれるので、このマッサージ器は、駆動部の動力を振動板に安定的に伝えることができる。
尚、動力伝達部は、クランク機構により動力を駆動部から振動板に伝えるものでもよい。
【００１２】
底板は、下部板(２０)と、下部板の上面に積層され、下部板よりも滑りやすい面を有する上部板(２１)とを有し、上部板の上面上で振動板を滑動させるものでもよい。このようにすると、単に底板の上に振動板を配置するよりも振動板が滑動しやすくなるので、駆動力のより弱い駆動部、すなわち、小型の駆動部を用いることができる。そのため、本発明のマッサージ器のように構成すると、一層の軽量化を図ることができる。
【００１３】
マッサージ器は、振動板の上面のうち、長手方向の一端側を除く部分であって人が体を載せる部分に積層されたクッション部(４)を有する構造としてもよい。このようにすると、硬い振動板の上に体を載せる場合に比べ、人への負担が軽くなるからである。
【００１４】
クッション部は、ヒータ(４０)を備えてもよい。これによると、ヒータ部によってクッションが温められるので、人は、冷たい思いをせずに、振動板上にマッサージを受けたい部分を載せることができる。
【００１５】
マッサージ器は、駆動部の動作を制御する制御部(９０)と、制御部と有線又は無線で接続され、人の操作を受け付けると、その操作に応じた制御信号を制御部に送信する操作部(９１)と、を備え、制御部は、制御信号に応じた動作を駆動部にさせるように制御するようにしてもよい。これによると、人は、送信部を用いることで、振動部を振動させたり止めたりする操作を手元で行うことができる。
【００１６】
支持部としては、駆動部及び動力伝達部を覆うとともに、振動板のうち長手方向の一端側を覆うケース部を用いてもよい。このケース部を用いると、駆動部や動力伝達部が外部から触れることができなくなるので、人が駆動部や動力伝達部に触れてケガをすることを抑制することができる。
【００１８】
因みに、上記各手段等の括弧内の符号は、後述する実施形態に記載の具体的手段等との対応関係を示す一例であり、本発明は上記各手段等の括弧内の符号に示された具体的手段等に限定されるものではない。
【図面の簡単な説明】
【００１９】
【図１】図１（Ａ）は、本実施形態のマッサージ器の平面図である。図１（Ｂ）は、本実施形態のマッサージ器の側面図である。図１（Ｃ）は、本実施形態のマッサージ器の正面図である。
【図２】図２は、本実施形態のマッサージ器の分解斜視図である。
【図３】図３（Ａ）〜図３（Ｈ）は、本実施形態のマッサージ器が振動する様子を説明するための模式図である。図３（Ａ）〜図３（Ｄ）は、クランク機構部の動作を説明するための平面模式図である。図３（Ｅ）〜図３（Ｈ）は、クランク機構部の動作と吊下部の動作を説明するための正面模式図である。
【発明を実施するための形態】
【００２０】
以下に本発明の例示的な実施形態について図面を参照しながら説明する。
図１（Ａ）〜図１（Ｃ）に示すように、本実施形態のマッサージ器１は、底板２と、振動板３と、クッション部４と、ケース５とを備えている。また、図２に示すように、本実施形態のマッサージ器１は、モータ６と、クランク機構部７と、吊下部８、制御部９０、リモコン９１とを備えている。
【００２１】
底板２は、図２に示すように、長板形状に形成されており、メラミンボードで構成された下部板２０と、下部板２０上面に積層され、下部板２０よりも滑りやすい面を有する上部板２１とを有する。ただし、上部板２１は、下部板２０の長手方向の一端側であって、ケース５に覆われる部分２ａには、積層されていない。また、上部板２１は、ポリプロピレンで形成されているが、これに限るものではない。
【００２２】
振動板３は、長板形状に形成されたハニカムボードで構成されており、その長手方向の長さが底板２に比べて短く、その幅方向の長さが底板２に比べて短い形状に形成されている。また、この振動板３の長手方向の一端側であって、ケース５内に収納される部分には、補強カバー３０が取り付けられている。この振動板３は、底板２の上面上に載せると、底板２が上部板２１を備えることにより、底板２の上面上で滑動する。
【００２３】
クッション部４は、振動板３のうち補強カバー３０が取り付けられていない部分の上面に積層される。このクッション部４は、上下２層構造となっており、これら各層の間には、平面形状に形成されたヒータ４０が積層されている。
【００２４】
ケース５は、底板２の下部板２０のうち、上部板２１が積層されていない部分２ａの上面上に複数のネジを用いて固定される。このケース５は、振動板３の上面の一部である伝達面部であって、振動板３の長手方向の一端側に位置する伝達面部の上方、すなわち、補強カバー３０が取り付けられる部分の上方で、底板２を土台としてモータ６を支持する大きさに形成されている。また、ケース５は、補強カバー３０がケース５内に位置する場合に、振動板３の補強カバー３０に覆われていない部分がケース５の外側に位置するように、一部が開口している（図示せず）。
【００２５】
モータ６は、補強カバー３０の上方に固定される。具体的には、モータ６は、ケース５の内面のうち、補強カバー３０の上方に位置する内面にネジ止めにより固定される。このとき、モータ６は、回転軸が下方を向くようにケース５に固定される。
【００２６】
クランク機構部７は、モータ６の回転軸に固定された円柱形状の偏芯コマ部７０と、補強カバー３０の上面に固定された円筒形状のクランク受部７１とを備えている。このうちクランク受部７１は、その円柱の中心軸と、モータ６の回転軸とが一定距離離れた位置関係となるようにモータ６の回転軸に取り付けられている。一方、クランク受部７１は、補強カバー３０の上面の長手方向（振動板３の幅方向）中央部分であって、振動板３の長手方向に沿った幅方向の中央より、補強カバー３０が取り付けられた振動板３の端部側に少し寄った位置に固定されている。このため、クランク機構部７は、図３（Ａ）〜図３（Ｈ）に示すように、モータ６が駆動すると、偏芯コマ部７０がクランク受部７１を前後左右に押す。つまり、本実施形態では、モータ６が駆動して、偏芯コマ部７０がクランク受部７１を前後左右に押す動作が、振動板３を前後左右に振動させる動作となることで、振動板３が振動する。本実施形態では、振動板３は底板２の上面上で滑動するので、振動板３は底板２上で滑動しながら振動する。
【００２７】
吊下部８は、図２に示すように、４つのゴム脚インサート８０によって構成されるものである。このゴム脚インサート８０は、円筒形状に形成されたゴム本体部８１と、このゴム本体部８１の軸方向に垂直な各円面から立設されたネジ部８２とからなるもので、ネジ部８２は、各円面の中心部分からゴム本体部８１の軸方向に沿って延設されたものである。これらゴム脚インサート８０は、補強カバー３０の上面上であって、クランク受部７１から等距離の位置に吊下部８の下方側（軸方向の一方側）のネジ部を振動板３にねじ込んで固定される。具体的には、このうち二つのゴム脚インサート８０は、補強カバー３０が固定された側の端部であって、振動板３の長手方向一端側の端部の両角付近でそれぞれ立設され、残り二つのゴム脚インサート８０は、前述した角付近に立設されたゴム脚インサート８０から振動板３の長手方向に沿って一定距離離れた位置で立設される。そして、吊下部８は、吊下部８の上方側（軸方向の他方側）のネジ部をケース５の上部内面に対してねじ込んで、振動板３をケース５に対して吊り下げる。この吊下部８が、ゴム本体部を有するのは、図３（Ａ）〜図３（Ｈ）に示すように、モータ６が駆動すると振動板３が前後左右に振動して上下のネジ部の位置がずれるので、このズレを吸収されるためである。
【００２８】
制御部９０は、ケース５の正面側（底板２の長手方向の一端側であって、ケース５が取り付けられる方向側）の側面に設置される。電源スイッチや、図示しないタイマ用の操作スイッチなどが取り付けられ、モータ６を制御する。
【００２９】
リモコン９１は、制御部９０と有線で接続され、人の操作を受け付ける押しボタン９１０を複数備えている。このリモコン９１は、人が押しボタン９１０を操作すると、押しボタン９１０に対応した制御信号（振動スタート、振動停止、振動のスピード上昇、下降などを指示する信号）を制御部９０に送信する。制御部９０は、この制御信号に応じた制御をモータ６に対して行い、振動板３を早く振動させたり、ゆっくり振動させたりする制御を実行する。尚、リモコン９１にタイマ用の操作スイッチが備えられていてもよい。
【００３０】
以上説明したマッサージ器１は、次のような特徴的な作用効果を奏する。
本実施形態のマッサージ器１は、底板２の上に振動板３が載り、その振動板３の上面のうち長手方向の一端側の上方にケース５に支持されたモータ６が配置されるので、底板２の上に振動板３が単に載っている部分と、振動板３のさらに上方にモータ６が配置される部分とを有することになる。このうち、底板２の上に振動板３が単に載っている部分が、マッサージを受けたいときに人が体を振動板３に載せる部分であり、この部分は、底板２と振動板３とを重ねただけの厚みになるので、このマッサージ器１は、人が体を振動板３に載せる部分の厚みが、これらの間にモータが配置されるマッサージ器に比べると非常に薄くなる。
【００３１】
一方、このマッサージ器１は、モータ６が配置される部分にも振動板３が配置される構造となっているので、振動板３とモータ６とを横並びに配置した場合よりも、大きい振動板３を用いる必要がある。しかし、振動板３とモータ６とを横並びに配置した場合には、本実施形態のマッサージ器１のように、振動板３とモータ６とを上下に配置されたものに比べ重いモータ等を使用しなければならず、その結果、重量が大きく増加する。つまり、振動板３を大型化しても、重いモータ等を用いる場合に比べれば、マッサージ器全体の重量の増加ははるかに小さい。そのため、このマッサージ器１は、振動板３とモータ６とを底板２上に横並びで設置する場合に比べて、はるかに軽量化することができる。
【００３２】
本実施形態のマッサージ器１は、底板２として、下部板２０と、下部板２０の上面に積層され、下部板２０よりも滑りやすい面を有する上部板２１とからなるものを用いている。そして、本実施形態のマッサージ器１では、この上部板２１の上面上で振動板３を滑動させている。このようにすると、単に底板２の上に振動板３を配置するよりも振動板３が滑動しやすくなるので、駆動力のより弱いモータ、すなわち、小型のモータを用いることができる。そのため、本実施形態のマッサージ器１のように構成すると、一層の軽量化を図ることができる。
【００３３】
本実施形態のマッサージ器１は、振動板３のうち人が載る部分にクッション部４が積層されている。振動板３の上に体を直接載せると、振動板３が固いためその載せた部分が痛くなることがあるが、クッション部４を用いればこのようなことが抑制できる。
【００３４】
本実施形態のマッサージ器１は、クッション部４がヒータ４０を内蔵していて、ヒータ４０によってクッション部４が温められるので、人は、冷たい思いをせずに、振動板３上にマッサージを受けたい部分を載せることができる。
【００３５】
本実施形態のマッサージ器１は、リモコン９１を操作すると、制御部９０がその操作に応じた制御をモータ６に対して行うことで、振動板３をゆっくり振動させたり早く振動させるなどして様々な種類のマッサージを行うことができる。そのため、本実施形態のマッサージ器１は、様々な種類のマッサージを人が手元のリモコン９１を操作することで実行することができる。
【００３６】
本実施形態のマッサージ器１は、ケース５がモータ６やクランク機構部７を覆っているので、これらに人が触れてケガをすることを抑制することができる。
本実施形態のマッサージ器１は、吊下部８で振動板３を吊り下げているので、モータ６と振動板３とが離れることがない。そのため、本実施形態のマッサージ器１は、モータ６と振動板３との距離が一定に保たれるので、モータ６の動力を振動板３に安定的に伝えることができる。
［他の実施形態］
以上、実施形態について説明したが、特許請求の範囲に記載された発明は、上記実施形態に限定されることなく、種々の形態を採り得ることは言うまでもない。
【００３７】
（１）上記実施形態では、リモコン９１として、制御部９０と有線で接続されたものを用いたが、無線で制御部９０との間で通信可能なものを用いてもよい。
（２）上記実施形態の構成に加え、人が振動板３に載る部分全体を、カバーで覆うようにしてもよい。
【００３８】
（３）本発明の各構成要素は概念的なものであり、上記実施形態に限定されない。例えば、１つの構成要素が有する機能を複数の構成要素に分散させたり、複数の構成要素が有する機能を１つの構成要素に統合したりしてもよい。また、上記実施形態の構成の少なくとも一部を、同様の機能を有する公知の構成に置き換えてもよい。また、上記実施形態の構成の少なくとも一部を、他の上記実施形態の構成に対して付加、置換等してもよい。
【符号の説明】
【００３９】
１…マッサージ器、２…底板、３…振動板、４…クッション部、５…ケース、
６…モータ、７…クランク機構部、８…吊下部、２０…下部板、２１…上部板、
３０…補強カバー、４０…ヒータ、７０…偏芯コマ部、７１…クランク受部、
８０…ゴム脚インサート、８１…ゴム本体部、８２…ネジ部、９０…制御部、
９１…リモコン、９１０…ボタン。
【図１】
0006426452.tif 000002
【図２】
0006426452.tif 000003
【図３】
0006426452.tif 000004